(57)【要約】  電子書籍リーダ装置は、筐体を備え、筐体の外面は、第１及び第２の主面と、第１のエッジと、第２のエッジと、第３のエッジと、第４のエッジとを含み、エッジのそれぞれは、第１と第２の主面の間に位置し、第３のエッジは、第４のエッジと平行であり、第１のエッジは、第２のエッジの、筐体を挟んで反対側に位置する。第１の主面は、ディスプレイを含み、第２の主面は、第１の主面の反対側の面である。筐体はディスプレイの１つのエッジから離間した拡張筐体部を含むことから非対称であり、第１と第２の主面の間の筐体の厚みは、第２のエッジから第１のエッジに向かって増加し、筐体は、拡張筐体部において上向きに曲げられている。
2021527280.tif 000002
【特許請求の範囲】
【請求項１】
電子書籍リーダ装置であって、
筐体であって、前記筐体の外面は、第１の主面と、第２の主面と、第１のエッジと、第２のエッジと、第３のエッジと、第４のエッジとを含み、前記第１のエッジと、前記第２のエッジと、前記第３のエッジと前記第４のエッジのそれぞれは、前記第１の主面と前記第２の主面の間に位置し、前記第３のエッジは、前記第４のエッジと平行であり、前記第１のエッジは、前記第２のエッジの、前記筐体を挟んで反対側に位置する、筐体と、
前記筐体に囲まれたディスプレイを含み、前記電子書籍リーダ装置の前記第１の主面は、前記ディスプレイを含み、前記電子書籍リーダ装置の前記第２の主面は、前記第１の主面の反対側の面であり、
前記筐体は、前記ディスプレイの１つのエッジから所定の距離だけ離間した拡張筐体部を含むことから非対称であり、前記第１の主面と前記第２の主面との間の前記筐体の厚みは、前記第２のエッジから前記第１のエッジに向かって増加し、前記筐体は、前記拡張筐体部において上向きに曲げられており、前記拡張筐体部の前記第１の主面は、前記ディスプレイの外面の上方に位置している、電子書籍リーダ装置。
【請求項２】
前記第１の主面は前記拡張筐体部の前記第２の主面に平行である、請求項１に記載の電子書籍リーダ装置。
【請求項３】
前記第１の主面は前記拡張筐体部の外側の前記第２の主面とは平行でない、請求項２に記載の電子書籍リーダ装置。
【請求項４】
前記拡張筐体部は、第１のボタンと第２のボタンを含む、請求項１に記載の電子書籍リーダ装置。
【請求項５】
前記第１のボタンおよび前記第２のボタンは、前記第１の主面を超えて延在するように立設されている、請求項４に記載の電子書籍リーダ装置。
【請求項６】
前記第１のボタンおよび前記第２のボタンは、所定の距離だけ互いに離間している、請求項５に記載の電子書籍リーダ装置。
【請求項７】
前記第１のボタンと前記第２のボタンは、それぞれ、長方形を有しており、前記長方形は、前記第１のエッジに平行な長手の軸を有する、請求項６に記載の電子書籍リーダ装置。
【請求項８】
電子書籍リーダ装置に剛性を与えてディスプレイユニットを保護するように構成されたミッドフレームコンポーネントをさらに含み、前記ミッドフレームコンポーネントは、バッテリを収容するように構成された第１の凹部と、プリント回路板を収容するように構成された第２の凹部を含む、請求項１に記載の電子書籍リーダ装置。
【請求項９】
前記第２の凹部は、軽量化するための複数の穴または穿孔形成部を有する、請求項８に記載の電子書籍リーダ装置。
【請求項１０】
前記ミッドフレームコンポーネントは、複数の穴または軽量化するための部分で、リブまたは格子型構造を有する軽量化部分を含む、請求項９に記載の電子書籍リーダ装置。
【請求項１１】
前記格子型構造はハニカム構造である、請求項１０に記載の電子書籍リーダ装置。
【請求項１２】
前記ミッドフレームコンポーネントの厚みは、先細となっており、前記軽量化部分で最も細くなっている、請求項１０に記載の電子書籍リーダ装置。
【請求項１３】
前記ディスプレイは、プラスチックで裏打ちされたディスプレイ画面である、請求項８に記載の電子書籍リーダ装置。
【請求項１４】
前記ミッドフレームコンポーネントはマグネシウムから形成される、請求項８に記載の電子書籍リーダ装置。
【請求項１５】
前記第２の主面は、プラスチック製の背面カバーである、請求項１に記載の電子書籍リーダ装置。
【請求項１６】
前記背面カバーの前記プラスチックは、把持性を与えるために、インモールドのマイクロ構造またはソフトな感触の被覆を有している、請求項１５に記載の電子書籍リーダ装置。
【請求項１７】
前記拡張筐体部の前記第１の主面はソフトな感触の被覆がなされているかザラ付きが施されている、請求項１に記載の電子書籍リーダ装置。
【請求項１８】
第１の曲線的角部が、前記第１のエッジを前記第３のエッジに接続し、第２の曲線的角部が、前記第１のエッジを前記第４のエッジに接続し、第３の曲線的角部が、前記第３のエッジを前記第２のエッジに接続し、第４の曲線的角部が、前記第２のエッジを前記第４のエッジに接続する、請求項１に記載の電子書籍リーダ装置。
【請求項１９】
前記第１の曲線的角部と前記第２の曲線的角部の半径は、前記第３の曲線的角部と前記第４の曲線的角部の半径より大きい、請求項１８に記載の電子書籍リーダ装置。
【請求項２０】
前記拡張筐体部は、前記ディスプレイを保護するための保護ケースのフラップ内の対応する磁石と相互作用するように構成された１つ以上の磁石をその内部に有する、請求項１に記載の電子書籍リーダ装置。
【請求項２１】
電子書籍リーダ装置であって、
筐体であって、前記筐体の外面は、第１の主面と、第２の主面と、第１のエッジと、第２のエッジと、第３のエッジと、第４のエッジとを含み、前記第１のエッジと、前記第２のエッジと、前記第３のエッジと前記第４のエッジのそれぞれは、前記第１の主面と前記第２の主面の間に位置する、筐体と、
前記筐体に囲まれたディスプレイを含み、前記電子書籍リーダ装置の前記第１の主面は、前記ディスプレイを含み、前記電子書籍リーダ装置の前記第２の主面は、前記第１の主面の反対側の面であり、
前記筐体は、前記ディスプレイの１つのエッジから所定の距離だけ離間した拡張筐体部を含み、前記拡張筐体部は、テキストおよび／または前記ディスプレイ上に表示された画像の前記動きを制御するように構成された第１のボタンと第２のボタンを含む、電子書籍リーダ装置。
【請求項２２】
前記第１のボタンおよび前記第２のボタンは、前記第１の主面を超えて延在するように立設されている、請求項２１に記載の電子書籍リーダ装置。
【請求項２３】
前記第１のボタンおよび前記第２のボタンは、所定の距離だけ互いに離間している、請求項２２に記載の電子書籍リーダ装置。
【請求項２４】
前記第１のボタンと前記第２のボタンは、それぞれ、長方形を有しており、前記長方形は、前記第１のエッジに平行な長手の軸を有する、請求項２３に記載の電子書籍リーダ装置。
【請求項２５】
前記第１のボタンおよび前記第２のボタンは同じ形状を有しており、スペーサが、前記第１のボタンと前記第２のボタンの間に位置しており、前記スペーサは前記第１のボタンおよび前記第２のボタンと接触している、請求項２４に記載の電子書籍リーダ装置。
【請求項２６】
前記スペーサは、前記第１のボタンおよび前記第２のボタンと同じ形状および寸法であるが、前記スペーサの外面は、前記第１の主面の外面と面一である、請求項２５に記載の電子書籍リーダ装置。
【請求項２７】
検出された前記電子書籍リーダ装置の物理的な向きに基づいて、前記第１のボタンは、ユーザが一度押すと１ページに表示されているドキュメントまたは画像が進むように構成されるとともに、前記第２のボタンは、ユーザが一度押すと、表示されている前記ドキュメントまたは画像が１ページ戻るように構成され、あるいは、前記第１のボタンは、ユーザが一度押すと、表示されていた前記ドキュメントまたは画像を１ページ戻るように構成されるとともに、前記第２のボタンはユーザが一度押すと１ページに表示されていた前記ドキュメントまたは画像が進むように構成された、請求項２１に記載の電子書籍リーダ装置。
【請求項２８】
前記第１のボタンまたは前記第２のボタンは、前記第１のボタンまたは前記第２のボタンが長押しされると、複数のページを進む、または戻るように構成されており、前記第１のボタンまたは前記第２のボタンの長押し時間が長ければ長いほど、ページの移動は速くなる、請求項２７に記載の電子書籍リーダ装置。
【請求項２９】
前記第１のボタンまたは前記第２のボタンが長押しされると、進んだ、または戻った多くのページを保存するように構成されたメモリ装置をさらに含む、請求項２８に記載の電子書籍リーダ装置。
【請求項３０】
前記第１のボタンおよび前記第２のボタンは、複数の電子書籍に関する情報を表示するメニューの中で上下方向のスクロールを制御するように構成される、請求項２１に記載の電子書籍リーダ装置。
【請求項３１】
前記第１のボタンおよび前記第２のボタンは、表示されたウェブページまたはメニューの中で上下方向の呼び出しを制御するように構成される、請求項２１に記載の電子書籍リーダ装置。
【請求項３２】
ポータブル・ドキュメント・フォーマット（ＰＤＦ）ファイルが前記ディスプレイに表示されているとき、また、前記ディスプレイが前記ＰＤＦファイルの前記ページ全体を表示していないとき、前記第１のボタンおよび前記第２のボタンは、押下されると、前記ＰＤＦファイルのページのどの部分を閲覧するかを制御するように構成された、請求項２１に記載の電子書籍リーダ装置。
【請求項３３】
プロセッサ装置、メモリ装置、ディスプレイ、および加速度計を包含する筐体を含む電子書籍リーダ装置を制御するための方法であって、第１のボタンと第２のボタンは、前記筐体の外面に位置しており、前記方法は、
前記加速度計で前記電子書籍リーダ装置の向きを検出することと、
ユーザが前記第１のボタンを押下することと、
前記プロセッサ装置によって、前記第１のボタンの押下と、前記電子書籍リーダ装置の前記検出された向きとに基づいて、前記ディスプレイに表示されているテキストおよび／または画像の動きを制御することと、を含む、方法。
【請求項３４】
前記第１のボタンが一度押下されると、前記ディスプレイに表示されているドキュメントまたは画像を制御して１ページ進めるか１ページ戻す、請求項３３に記載の方法。
【請求項３５】
前記ユーザが、前記第２のボタンを一度押下することと、
前記ディスプレイ上に表示されているドキュメントまたは画像を制御して１ページ進める、または１ページ戻すことをさらに含む、請求項３４に記載の方法。
【請求項３６】
前記第１のボタンを押下することが、前記第１のボタンを長押しすることを含み、前記第１のボタンの長押しに基づいて、表示されているドキュメントまたは画像を制御して、複数のページを進めるまたは戻し、前記第１のボタンが長押しされる時間が長ければ長いほど、前記ページは速く動く、請求項３３に記載の方法。
【請求項３７】
前記メモリ装置に、前記第１のボタンが長押しされると、進めるまたは戻される多くのページを保存することをさらに含む、請求項３６に記載の方法。
【請求項３８】
前記ディスプレイ上に、複数の電子書籍に関する情報を表示するメニューを表示することをさらに含み、
前記第１のボタンの押下は、前記複数の電子書籍に関する前記情報を表示する前記メニューの中の上下のスクロールを制御する、請求項３３に記載の方法。
【請求項３９】
前記第１のボタンを押下することは、表示されたウェブページまたはメニューの中で上下方向の呼び出しを制御する、請求項３３に記載の方法。
【請求項４０】
前記ディスプレイ上にポータブル・ドキュメント・フォーマット（ＰＤＦ）ファイルを表示することをさらに含み、
前記ディスプレイが前記ＰＤＦファイルの前記ページ全体を表示していないときには、前記第１のボタンを押下することは、前記ＰＤＦファイルの前記ページのどの部分を閲覧するかを制御する、請求項３３に記載の方法。
【請求項４１】
処理回路、加速度計、ディスプレイ画面を含む電子書籍リーダ装置の画面の回転を制御するための方法であって、前記方法は、
前記処理回路によって、前記電子書籍リーダ装置に対して画面回転ロック機能を開始するためのメニューへのアクセスの要求を受信することと、
前記ディスプレイ画面上において、前記画面回転ロック機能を前記開始するための前記メニューを表示することと、
前記処理回路によって、複数の画面の向きの中から前記ディスプレイ画面に対する１つの特定の画面の向きの選択を受信することと、
前記電子書籍リーダ装置を９０度回転させることと、
前記加速度計で、前記９０度の回転を検出することと、
前記ディスプレイ画面上に表示されている画面を、前記選択された１つの特定の画面の向きに維持することと、を含む方法。
【請求項４２】
前記電子書籍リーダ装置をさらに９０度、前回の回転と同じ方向に回転させることと、
前記加速度計で、前記さらなる９０度の回転を検出することと、
前記処理回路で、前記ディスプレイ画面に表示されている前記画面を制御して、前記画面が前記回転の前と同じ向きになるように１８０度転回させることと、をさらに含む、請求項４１に記載の方法。
【請求項４３】
前記複数の画面の向きは、縦向きと横向きである、請求項４１に記載の方法。
【請求項４４】
前記１つの特定の画面の向きの選択は、前記縦向きまたは前記横向きの選択である、請求項４３に記載の方法。
【請求項４５】
前記９０度の回転の間、および前記さらなる９０度の回転の間、前記選択した１つの特定の画面の向きのみが表示される、請求項４１に記載の方法。
【請求項４６】
前記電子書籍リーダ装置が自動回転モードにある時に、前記電子書籍リーダ装置を９０度回転させることと、
前記加速度計で、前記９０度の回転を検出することと、
前記ディスプレイ画面上に、前記表示されている画面の回転を行うかどうかをユーザに尋ねるメッセージを表示することと、をさらに含む、請求項４１に記載の方法。
【請求項４７】
電子書籍リーダ装置の処理回路で実行した場合、前記処理回路に、画面の回転を制御する方法を実施させる、コンピュータ可読命令を記憶した非一時的なコンピュータ可読記憶媒体であって、前記方法は、
前記電子書籍リーダ装置に対して画面回転ロック機能を開始するためのメニューへのアクセスの要求を受信することと、
ディスプレイ画面上において、前記画面回転ロック機能を前記開始するための前記メニューを表示することと、
複数の画面の向きの中から前記ディスプレイ画面に対する１つの特定の画面の向きの選択を受信することと、
前記電子書籍リーダ装置の９０度の回転を検出することと、
前記電子書籍リーダ装置の前記ディスプレイ画面上に表示されている画面を、前記選択された１つの特定の画面の向きに維持することと、を含む非一時的なコンピュータ可読記憶媒体。
【請求項４８】
前記電子書籍リーダ装置のさらに９０度の、前回の回転と同じ方向への回転を検出することと、
前記ディスプレイ画面上に表示されている前記画面を制御して、前記画面が前記回転の前と同じ向きになるように１８０度転回させることと、をさらに含む、請求項４７に記載の非一時的なコンピュータ可読記憶媒体。
【請求項４９】
前記複数の画面の向きは、縦向きと横向きである、請求項４７に記載の非一時的なコンピュータ可読記憶媒体。
【請求項５０】
前記１つの特定の画面の向きの選択は、前記縦向きと前記横向きの選択である、請求項４９に記載の非一時的なコンピュータ可読記憶媒体。
【請求項５１】
前記９０度の回転、およびさらなる９０度の回転の向きの間、前記選択した１つの特定の画面の向きのみが表示される、請求項４７に記載の非一時的なコンピュータ可読記憶媒体。
【請求項５２】
前記電子書籍リーダ装置が自動回転モードにある時に、前記電子書籍リーダ装置の９０度の回転を検出することと、
前記ディスプレイ画面上に、前記表示されている画面の回転を行うかどうかをユーザに尋ねるメッセージを表示することと、をさらに含む、請求項４７に記載の非一時的なコンピュータ可読記憶媒体。
【請求項５３】
加速度計と、
ディスプレイ画面と、
処理回路とを含む電子書籍リーダ装置であって、前記処理回路が、
前記電子書籍リーダ装置に対して画面回転ロック機能を開始するためのメニューへのアクセスの要求を受信し、
前記ディスプレイ画面上において、前記画面回転ロック機能を前記開始するための前記メニューを表示し、
複数の画面の向きの中から前記ディスプレイ画面に対する１つの特定の画面の向きの選択を受信し、
前記加速度計によって、前記電子書籍リーダ装置が、９０度回転したことが検出されたことを示す情報を受信し、
前記ディスプレイ画面上に表示されている画面を、前記選択された１つの特定の画面の向きに維持するように構成される、電子書籍リーダ装置。
【請求項５４】
前記処理回路が、
前記電子書籍リーダ装置をさらに９０度の、前回の回転と同じ方向への回転を検出し、
前記ディスプレイ画面に表示されている前記画面を制御して、前記画面が前記回転の前と同じ向きになるように１８０度転回させるように構成される、請求項５３に記載の電子書籍リーダ装置。
【請求項５５】
前記複数の画面の向きは、縦向きと横向きである、請求項５３に記載の電子書籍リーダ装置。
【請求項５６】
前記１つの特定の画面の向きの選択は、前記縦向きまたは前記横向きの選択である、請求項５５に記載の電子書籍リーダ装置。
【請求項５７】
前記９０度の回転の間、および前記さらなる９０度の回転の間、前記選択した１つの特定の画面の向きのみが表示される、請求項５３に記載の電子書籍リーダ装置。
【請求項５８】
前記処理回路が、
電子書籍リーダ装置が自動回転モードにある時に、電子書籍リーダ装置が９０度回転したことが検出されたことを示す情報を受信し、
前記ディスプレイ画面上に、前記表示されている画面の回転を行うかどうかをユーザに尋ねるメッセージを表示するように構成された、請求項５３に記載の電子書籍リーダ装置。
【請求項５９】
電子書籍リーダ装置の処理回路で実行した場合、前記処理回路に、画面の回転を制御する方法を実施させる、コンピュータ可読命令を記憶した非一時的なコンピュータ可読記憶媒体であって、前記方法は、
前記電子書籍リーダ装置が自動回転モードにある時に、前記電子書籍リーダ装置の９０度の回転を検出することと、
前記ディスプレイ画面上に、前記表示されている画面の回転を行うかどうかをユーザに尋ねるメッセージを表示することと、を含む、非一時的なコンピュータ可読記憶媒体。
【発明の詳細な説明】
【背景技術】
【０００１】
本明細書に記載する「背景」の説明は、本開示の内容を概ね提示することが目的である。現在名前を記載する発明者による、本書の背景技術で説明した範囲の研究、ならびに、出願時には先行技術として見なさないであろう説明の態様は、本発明に対する先行技術として明示的にも黙示的にも認められていない。
【０００２】
ｅリーダ装置としても知られる電子リーダは、電子書籍（ｅブック）、電子雑誌、および他のデジタルコンテンツを読むために使用される電子パーソナルディスプレイである。例えば、電子書籍のデジタルコンテンツは、英数字として、かつ／またはグラフィックイメージとしてｅリーダのディスプレイ上に表示されるので、ユーザは、紙ベースの本の印刷されたページのアナログコンテンツを読んでいるのとほとんど同じようにしてデジタルコンテンツを読むことができる。ｅリーダ装置は、従来の紙の形式では、かなりの大きさのスペースを取り得る大量なデジタルコンテンツの集合を保存、運搬、および閲覧に便利な形式を提供する。
【０００３】
上記の段落は、一般的導入部分として記載したものであり、下記の特許請求の範囲を限定することを意図したものではない。記載した実施形態は、さらなる利点も含め、添付の図面と合わせて下記の詳細な説明を参照することにより、最もよく理解できるであろう。
【発明の概要】
【課題を解決するための手段】
【０００４】
本開示の例示的な実施形態は、電子書籍リーダ装置を提供する。電子書籍リーダ装置は、筐体を含み、筐体の外面は、第１の主面と、第２の主面と、第１のエッジと、第２のエッジと、第３のエッジと、第４のエッジとを含み、第１のエッジと、第２のエッジと、第３のエッジと第４のエッジのそれぞれは、第１の主面と第２の主面の間に位置し、第３のエッジは、第４のエッジと平行であり、第１のエッジは、第２のエッジの、筐体を挟んで反対側に位置する。電子書籍リーダ装置は、筐体に囲まれたディスプレイを含み、電子書籍リーダ装置の第１の主面は、そのディスプレイを含み、電子書籍リーダ装置の第２の主面は、第１の主面の反対側の面である。筐体は、ディスプレイの１つのエッジから所定の距離だけ離間した拡張筐体部を含むことから非対称であり、第１の主面と第２の主面との間の筐体の厚みは、第２のエッジから第１のエッジに向かって増加し、筐体は、拡張筐体部において上向きに曲げられており、拡張筐体部の第１の主面は、ディスプレイの外面の上方に位置し、上向きの屈曲により、電子書籍リーダ装置が取り上げやすくなっている。
【０００５】
本開示の例示的な実施形態は、電子書籍リーダ装置を提供する。電子書籍リーダ装置は、筐体を含み、筐体の外面は、第１の主面と、第２の主面とを含み、第１のエッジと、第２のエッジと、第３のエッジと、第４のエッジとを含み、第１のエッジと、第２のエッジと、第３のエッジと第４のエッジのそれぞれは、第１の主面と第２の主面の間に位置する。電子書籍リーダ装置は、筐体によって囲まれたディスプレイを含む。電子書籍リーダ装置の第１の主面は、そのディスプレイを含み、電子書籍リーダ装置の第２の主面は、第１の主面の反対側の面である。筐体は、ディスプレイの１つのエッジから所定の距離だけ離間した拡張筐体部を含み、拡張筐体部は、テキストおよび／またはディスプレイ上に表示された画像の動きを制御するように構成された第１のボタンと第２のボタンを含む。
【０００６】
本開示の例示的な実施形態は、プロセッサ装置、メモリ装置、ディスプレイ、および加速度計を包含する筐体を含む、電子書籍リーダ装置を制御するための方法を提供し、第１のボタンと第２のボタンは、筐体の外面に位置している。本方法は、加速度計によって、電子書籍リーダ装置の向きを検出することと、ユーザによって第１のボタンを押下することと、プロセッサ装置によって、第１のボタンの押下と検出された電子書籍リーダ装置の向きとに基づいてディスプレイ上に表示されているテキストおよび／または画像の動きを制御することとを含む。
【０００７】
本開示の例示的な実施形態は、処理回路、加速度計、ディスプレイ画面を含む電子書籍リーダ装置の画面の回転を制御するための方法を提供する。本方法は、処理回路によって、電子書籍リーダ装置の画面回転ロック機能を開始するためのメニューへのアクセスの要求を受信することと、ディスプレイ画面上に、画面回転ロック機能を開始するためのメニューを表示することと、処理回路によって、複数の画面の向きの中から、ディスプレイ画面に対する１つの特定の画面の向きの選択を受信することと、電子書籍リーダ装置を９０度回転させることと、加速度計によって９０度の回転を検出することと、ディスプレイ画面上に表示されている画面を、選択された１つの特定の画面の向きに維持することとを含む。
【０００８】
本開示の例示的な実施形態は、電子書籍リーダ装置の処理回路で実行した場合、処理回路に、画面の回転を制御する方法を実施させる、コンピュータ可読命令を記憶した非一時的なコンピュータ可読記憶媒体を提供する。本方法は、電子書籍リーダ装置の画面回転ロック機能を開始するためのメニューへのアクセスの要求を受信することと、ディスプレイ画面上に、画面回転ロック機能を開始するためのメニューを表示することと、複数の画面の向きの中からそのディスプレイ画面に対する１つの特定の画面の向きの選択を受信することと、電子書籍リーダ装置の９０度の回転を検出することと、電子書籍リーダ装置のディスプレイ画面上に表示されている画面を、選択された１つの特定の画面の向きに維持することとを含む。
【０００９】
本開示の例示的な実施形態は、電子書籍リーダ装置を提供する。電子書籍リーダ装置は、加速度計と、ディスプレイ画面と、処理回路を含む。処理回路は、電子書籍リーダ装置用の画面回転ロック機能を開始するためのメニューへのアクセスの要求を受信し、画面回転ロック機能を開始するためのメニューをディスプレイ画面上に表示し、複数の画面の向きの中からディスプレイ画面に対する１つの特定の画面の向きの選択を受信するように構成されている。処理回路は、また、電子書籍リーダ装置が加速度計によって９０度回転したことが検出されたことを示す情報を受信し、ディスプレイ画面上に表示されている画面を、選択された１つの特定の画面の向きに維持するように構成されている。
【００１０】
本開示の例示的な実施形態は、電子書籍リーダ装置の処理回路で実行した場合、処理回路に、画面の回転を制御する方法を実施させる、コンピュータ可読命令を記憶した非一時的なコンピュータ可読記憶媒体を提供する。本方法は、電子書籍リーダ装置が自動回転モードにあるときに、電子書籍リーダ装置の９０度の回転を検出することと、ディスプレイ画面上に、表示されている画面の回転を行うかどうかをユーザに尋ねるメッセージを表示することとを含む。
【図面の簡単な説明】
【００１１】
本開示のより完全な理解と、その結果得られる有効性の多くは、それらを、下記の添付の図面を参照しながら下記の詳細な説明を参照して理解を深めることにより、容易に得られるであろう。
【００１２】
【図１】開示された主題の１又は複数の態様における電子書籍リーダ装置の斜視図を示す。
【図２】開示された主題の１又は複数の態様における電子書籍リーダ装置の正面の斜視図を示す。
【図３】開示された主題の１又は複数の態様における電子書籍リーダ装置の背面の斜視図を示す。
【図４】開示された主題の１又は複数の態様における電子書籍リーダ装置の側面の斜視図を示す。
【図５】開示された主題の１又は複数の態様における電子書籍リーダ装置の側面の斜視図を示す。
【図６】開示された主題の１又は複数の態様における電子書籍リーダ装置の側面の斜視図を示す。
【図７】開示された主題の１又は複数の態様における電子書籍リーダ装置の側面の斜視図を示す。
【図８】開示された主題の１又は複数の態様における電子書籍リーダ装置の斜視図を示す。
【図９】開示された主題の１又は複数の態様における電子書籍リーダ装置の正面の斜視図を示す。
【図１０】開示された主題の１又は複数の態様における電子書籍リーダ装置の背面の斜視図を示す。
【図１１】開示された主題の１又は複数の態様における電子書籍リーダ装置の側面の斜視図を示す。
【図１２】開示された主題の１又は複数の態様における電子書籍リーダ装置の側面の斜視図を示す。
【図１３】開示された主題の１又は複数の態様における電子書籍リーダ装置の側面の斜視図を示す。
【図１４】開示された主題の１又は複数の態様における電子書籍リーダ装置の側面の斜視図を示す。
【図１５】開示された主題の１又は複数の態様における電子書籍リーダ装置の分解図を示す。
【図１６】開示された主題の１又は複数の態様における電子書籍リーダ装置の分解図を示す。
【図１７】開示された主題の１又は複数の態様における電子書籍リーダ装置の分解図を示す。
【図１８】開示された主題の１又は複数の態様における電子書籍リーダ装置の分解図を示す。
【図１９】開示された主題の１又は複数の態様における電子書籍リーダ装置の分解図を示す。
【図２０Ａ】開示された主題の１又は複数の態様における電子書籍リーダ装置のミッドフレームコンポーネントの斜視図を示す。
【図２０Ｂ】開示された主題の１又は複数の態様における電子書籍リーダ装置のミッドフレームコンポーネントの斜視図を示す。
【図２０Ｃ】開示された主題の１又は複数の態様における電子書籍リーダ装置のミッドフレームコンポーネントの斜視図を示す。
【図２０Ｄ】開示された主題の１又は複数の態様における電子書籍リーダ装置のミッドフレームコンポーネントの斜視図を示す。
【図２１Ａ】例示的な実施形態によるユーザが選択可能な画面回転ロック機能の実例説明のイメージ図である。
【図２１Ｂ】例示的な実施形態によるユーザが選択可能な画面回転ロック機能の実例説明のイメージ図である。
【図２１Ｃ】例示的な実施形態によるユーザが選択可能な画面回転ロック機能の実例説明のイメージ図である。
【図２２】例示的な実施形態によるユーザが選択可能な画面回転ロック機能のフローチャートである。
【発明を実施するための形態】
【００１３】
添付の図面と共に下記に示す説明は、開示された主題の様々な実施形態を説明することを意図したものであり、必ずしも、限られた実施形態（複数可）を示すことを意図したものではない。場合によっては、説明には、開示された主題の理解を助ける目的で特定の詳細事項を含む。しかしながら、実施形態は、これらの具体的な詳細なしで実施することができることは、当業者には明らかである。場合によっては、開示された主題の概念が不明瞭となることを回避するため、既知の構造や構成要素をブロック図の形態で示す場合がある。
【００１４】
本明細書全体において、「一実施形態」または「実施形態」は、実施形態に関連して説明される特定の外観、構造、特徴、操作、または機能が開示された主題の少なくとも１つの実施形態に含まれることを意味する。よって、明細書における、「一実施形態において」または「実施形態において」という表現は、同じ実施形態を必ずしも示すものではない。さらに、特定の外観、構造、特徴、操作、または機能は、１つ以上の実施形態において、任意の適した様式で結合できる。さらに、開示された主題の実施形態は、説明した実施形態の変更および多様性を含み得るとともに実際に含む。
【００１５】
なお、明細書および添付の特許請求の範囲において、単数形の表記は、文脈が明確に別様に指示しない限り、複数を含んで使用される。つまり、特に指定しない限り、本明細書で使用される場合、ａおよびａｎなどは、「１つ以上」の意味を有する。さらに、本明細書内で使用する「左」、「右」、「上」、「底」、「前」、「後」、「横」、「高さ」、「長さ」、「幅」、「上方」、「下方」、「内部」、「外部」、「内側」、「外側」などの語は、参照する点を説明したに過ぎず、必ずしも、開示された主題の実施形態を、任意の特定の向きまたは構成に限定するものではない。さらに、「第１」、「第２」、「第３」などの用語は、単に、本明細書において説明する多数の部分、構成要素、参照点、操作、および／または機能のうちの１つを識別するに過ぎず、同様に、開示された主題の実施形態を、必ずしも、任意の特定の構成または向きに限定するものではない。
【００１６】
さらに、「Ａ、Ｂ、またはＣのうちの少なくとも１つ」と類似した表現を特許請求の範囲で使用している場合、これは、実施形態にＡのみが存在すること、実施形態にＢのみが存在すること、実施形態にＣのみが存在すること、あるいは、例えば、ＡおよびＢ、ＡおよびＣ、ＢおよびＣ、またはＡおよびＢおよびＣなど、Ａ、ＢおよびＣの任意の組合せが単一の実施形態に存在することを含むように解釈するものとする。また、本明細書の請求項の要素は、その要素が「のための手段」という表現を使って明示的に唱えていない限り、米国特許法第１１２条（ｆ）の規定に準拠するものではない。本明細書で使用する「備える（含む）」、「備えている（含んでいる）」もしくはその他の変形は、包括的な含有を含むことを意図したものであり、一連の構成要素を含む工程、方法、品目、または装置は、それらの要素のみを含むのではなく、明示的に列挙していない、またはそれらの工程、方法、品目または装置固有のものではない他の要素も含み得る。
【００１７】
図面を参照して、複数の図面において、同様の数字は、同一または対応する部分を示すものとする。
【００１８】
図１は、開示された主題の１又は複数の態様における電子書籍リーダ装置１００の正面の斜視図を示す。図８は図１と同様の図である。電子書籍リーダ装置１００（ｅリーダ１００、ｅリーダ装置１００、電子リーダ１００、装置１００等とも称する）は、電子書籍（ｅブック）、電子雑誌、および他のデジタルコンテンツを読むために使用される電子パーソナルディスプレイである。例えば、ｅブックのデジタルコンテンツは、英数字として、かつ／またはグラフィックイメージとしてｅリーダのディスプレイ上に表示されるので、ユーザは、紙ベースの本の印刷されたページのアナログコンテンツを読んでいるのとほとんど同じようにしてデジタルコンテンツを読むことができる。ｅリーダは、従来の紙の形式では、かなりの量のスペースを取り得る大量なデジタルコンテンツの集合を保存、運搬、および閲覧に便利な形式を提供する。
【００１９】
場合によっては、ｅリーダは、読み取り用のコンテンツを表示するのに特に好適に機能するように設計された専用装置である。例えば、専用ｅリーダは、グレアを低減し、高照度で好適に機能し、かつ／または実際の紙の上のテキストと似た外観を呈するディスプレイを含む。このような専用ｅリーダは、ユーザに読み物のコンテンツを表示するのに優れており、それらは、また、特に、画像の表示、音声の発信、音声の録音、およびネットサーフィンなど、他の機能も果たす。
【００２０】
また、ネットワークサービスからサービスとリソースを受信することができるコンシューマ装置も数多く存在する。このような装置は、アプリケーションを動作させる、または、装置を、固有なサービスの特別なアカウントにリンクさせる他の機能も提供する。例えば、ｅリーダ装置は、一般的には、オンライン書店にリンクし、メディア再生装置は、ユーザがオンラインメディアライブラリにアクセスできるようにするアプリケーションを含んでいることが多い。これに関連して、ユーザアカウントにより、ユーザは装置の便益と機能を十分に享受できるようになる。
【００２１】
電子書籍リーダ装置１００は、実施形態によると、電子読み取り動作を向上させることができる。電子書籍リーダ装置１００は、電子ディスプレイ装置およびネットワークサービスを含む。ネットワークサービスは、複数のサーバと、ｅリーダ装置にインストールされた１つ以上のアプリケーションに関連して様々なサービスを提供する他の演算リソースを含んでいてもよい。例として、一実施形態では、ネットワークサービスは、ｅリーダ装置と通信する電子書籍サービスを提供することができる。ネットワークサービスを介して提供された電子書籍サービスは、例えば、電子書籍が販売され、シェアされ、ダウンロードされ、かつ／または保存されるサービスを含んでもよい。より一般的には、ネットワークサービスは、コンテンツレンダリングサービス（例えばストリーミングメディア）または他のネットワークアプリケーション環境もしくはサービスを含む、様々な他のコンテンツサービスを提供することができる。
【００２２】
ｅリーダ装置１００は、アプリケーションやアプリケーションリソース（例えば、電子書籍、メディアファイル、ドキュメント）を実際に表示でき、消費できる任意の電子パーソナルディスプレイ装置に相当する。例えば、ｅリーダ装置１００は、タブレットまたは電話通信／メッセージング装置（例えば、スマートフォン）に相当する。一実施形態では、例えば、ｅリーダ装置１００は、装置をネットワークサービスにリンクし、サービスを介して提供された電子書籍を閲覧するまたは消費することができるようにするｅリーダアプリケーションを実行することができる。別の実施形態では、ｅリーダ装置１００は、メディア再生またはファイルやストリーミングデータをネットワークサービスから受信するストリーミングアプリケーションを実行できる。例として、ｅリーダ装置１００は、特定のものを最適化するためのハードウェアおよびソフトウェアを装備することができる。
【００２３】
電子コンテンツ（例えば、電子書籍）を表示するなどのアプリケーションの動作。例えば、ｅリーダ装置１００は、様々な形が可能ではあるが、タブレット様の形状要素を有する。いくつかの場合、ｅリーダ装置１００はＥインクディスプレイを有している場合もある。
【００２４】
ｅリーダ装置１００は、選択した電子書籍からのテキストコンテンツが表示されるディスプレイ画面１０４を含む筐体を含む。ディスプレイ画面１０４は、入力機能が提供されている、あるいは可能である、ディスプレイユニット組立体のタッチセンサ式コンポーネントとして構成することができる。例示的な実施形態では、ディスプレイ画面１０４は、８インチの、プラスチックで裏打ちされたディスプレイなど、可撓性を有するディスプレイである。図１にみられるように、筐体は、拡張筐体部１１８の存在により、筐体がディスプレイ画面１０４から片側においてより遠く離れて延在する、非対称の設計を有する。図１では、拡張筐体部１１８は、ディスプレイ画面１０４の右側に位置している。筐体は、第１の主面１０２（すなわち、表面）と第２の主面３０２（すなわち、図３に示す背面）を有する。筐体は、また、第１のエッジ１０６（すなわち、図１に示す右側のエッジ）、第２のエッジ１０８（すなわち、図１に示す左側のエッジ）、第３のエッジ１１０（すなわち、図１に示す上側のエッジ）および第４のエッジ１１２（すなわち、図１に示す下側のエッジ）を有している。
【００２５】
図１にみられるように、筐体の厚みが第２のエッジ１０８から第１のエッジ１０６に向けて徐々に増加する。例示的な実施形態では、拡張筐体部１１８の筐体の厚みは一様で、その厚みは、例えば、８〜１１ｍｍでよい。例示的な実施形態では、拡張筐体部１１８の筐体の厚みは、９．８ｍｍである。拡張筐体部１１８における筐体の厚みが大きいことは、ソフトカバーの本のページを折り返した様な感覚を模倣している。例示的な実施形態では、拡張筐体部１１８の筐体の厚みは、一様ではないが、最大でも１０パーセントしか変化していない。筐体の、第２のエッジ１０８に最も近い所に位置する最も薄い部分は、例えば４〜６ｍｍでよい。例示的な実施形態では、筐体の最も薄い部分は、５ｍｍ±０．５ｍｍ（例えば５ｍｍ）でよい。例示的な実施形態では、第３のエッジ１１０と第４のエッジ１１２の間の距離は、１７３ｍｍ±１０ｍｍ（例えば、１７３．１ｍｍ）でよい。例示的な実施形態では、第１のエッジ１０６と第２のエッジ１０８の間の距離は、１５６ｍｍ±１０ｍｍ（例えば、１５６．４ｍｍ）でよい。ｅリーディング装置１００は、様々なハードウェアコンポーネントを組み込むため、寸法に幅を有していてもよい。例示的な実施形態では、ｅリーディング装置１００の奥行は７ｍｍ未満でよい。より具体的には、電子書籍リーダ装置の奥行は６．９９ミリメートルでよい。
【００２６】
図７にみられるように、第２の主面３０２を平面に接触させて、ｅリーダ装置１００を平面上に置くと、ｅリーダ装置１００は、筐体の、拡張筐体部１１８の領域が上方に向けて角度を有していることから、取り上げやすくなっている。拡張筐体部１１８の、上方に角度を付けた把持部は、その手が自然でリラックスした姿勢にあるときに、ユーザの掌が形成する自然のポケットにフィットするように設計されており、これは、角度を付けた把持部の設計の、主な人間工学の利得である。さらに、拡張筐体部１１８の角度をつけた柔らかい感触を有する被覆された把持部とスペーサ１２８（図１を参照）は、ユーザが、長時間の利用で親指や他の指に応力をかけずに電子書籍リーダ装置１００を手の中に安全に保持できるようにした湾曲した、ザラ付きのある背面カバー１５０２（図１５を参照）と連動して作動する、親指を自然に載置する領域を提供する。別の人間工学の利得は、電子書籍リーダ装置１００は、上方に角度を付けた把持部の特徴を有しているため、電子書籍リーダ装置１００が平面上に置かれた時に、取り上げやすい。また、拡張筐体部１１８は、ｅリーダ装置１００に良好な把持性を提供するための、ゴム製または他の高摩擦仕上げ／材料を第１の主面１０２上に有していてもよい。
【００２７】
拡張筐体部１１８は、第１のボタン１１４と第２のボタン１１６を含む。図１１にみられるように、第１のボタン１１４と第２のボタン１１６は、立設されており、拡張筐体部１１８の表面を越えて延在している。第１のボタン１１４と第２のボタン１１６は、スペーサ１２８（例えば、長方形のプラスチック片）によって互いに離間しており、その間隔は第１のボタン１１４または第２のボタン１１６の長さと同じでもよい。例示的な実施形態では、第１のボタン１１４と第２のボタン１１６を使って、電子書籍の１ページを進める、または、１ページ戻すことができ、さらに詳しくは後述する。第１のボタン１１４と第２のボタン１１６の間の平坦な面（スペーサ１２８）は、ページめくりキーを操作していない時に電子書籍リーダ装置１００を保持する際の自然の親指載置領域を提供する。図８にみられるように、第１のボタン１１４と第２のボタン１１６は、縦方向に沿って配向されている長手の長方形を有している（すなわち、ボタンは第１のエッジ１０６に平行である）。第１と第２のボタン１１４、１１６は、拡張筐体部１１８に沿って比較的長い距離だけ延在している。第１と第２のボタン１１４、１１６の位置、形状および長さは、手の位置を広く確保でき、ユーザの疲労を回避することができる。
【００２８】
図１にみられるように、筐体は、曲線的な４つの角部１２０、１２２、１２４、および１２６を有し、（拡張筐体部１１８に位置する）角部１２０および１２２の半径は、（筐体の、拡張筐体部１１８とは反対側に位置する）角部１２４および１２６の半径より大きい。
【００２９】
図２および９にみられるように、オン／オフボタン２０２は第１のエッジ１０６上に位置する。例示的な実施形態では、オン／オフボタン２０２は第１のエッジ１０６の中間に位置しているが、オン／オフボタン２０２は第１のエッジ１０６に沿ったいずれかの場所に位置してもよい。オン／オフボタン２０２は楕円形、長方形、または他の任意の形状でよい。オン／オフボタン２０２は、立設され、第１のエッジ１０６の面を越えて延在していてもよい。
【００３０】
図３および１０は、ｅリーダ装置１００の第２の主面３０２（すなわち、背面カバー／背面）を示す。第２の主面３０２は、プラスチックで形成してもよく、プラスチックの全体または一部はゴムで覆ってｅリーダ装置１００の摺動を防止してもよい。
【００３１】
図４および１１は、第２のエッジ１０８を有する装置の端部から見たｅリーダ装置１００の側面図である。図１１にみられるように、第１のボタン１１４と第２のボタン１１６は、拡張筐体部１１８の面の最も高い部分を越えて延在していない。言い換えれば、図７および１４に示すように、第１のエッジ１０６の最上面は、第１のボタン１１４の最上面および第２のボタン１１６の最上面より高い。
【００３２】
図５および１２は、第１のエッジ１０６を有する装置の端部から見たｅリーダ装置１００の側面図である。例示的な実施形態では、第１のエッジ１０６は、ＵＳＢポート、マイクロＵＳＢポート、ファイヤワイヤポート、または充電に使用できる任意の他のポートであり得る充電ポート５０２を含む。
【００３３】
図６および１３は、第３のエッジ１１０を有する装置の端部から見たｅリーダ装置１００の側面図である。図６にみられるように、ｅリーダ装置の厚みは、左から右へ（すなわち、第２のエッジから拡張筐体部１１８の左側まで）線形に増える。図６および１３において、ディスプレイを有する第１の主面１０２は、図面の下側にあり、第２の主面３０２は、図面の上側にある。
【００３４】
図７および１４は、第４のエッジ１１２を有する装置の端部から見たｅリーダ装置１００の側面図である。図７および１４において、ディスプレイを有する第１の主面１０２は、図面の上側にあり、第２の主面３０２は、図面の下側にある。
【００３５】
図１５は、例示的な実施形態によるｅリーダ装置１００の分解図（機械的スタックアップ）である。ｅリーダ装置１００のコンポーネントは、背面カバー１５０２、ミッドフレームコンポーネント１５０４、ディスプレイユニット１５０６、およびデコプレート１５０８を含む。背面カバー１５０２は、少なくとも第２の主面３０２を形成している。背面カバー１５０２は、例えば、プラスチックであり、その外面上にソフトな感触のインモールドのマイクロテクスチャーを有していてもよい。背面カバー１５０２は、衝撃吸収材を含む二重射出造形でもよい。ｅリーダ装置１００の背面カバー１５０２は、様々なスタイルおよび美学的目的のため、ならびに、ｅリーダ装置１００の保持を補助するための把持性を提供する所定のパターンを含んでいてもよい。パターンは例えば、パターンの少なくとも一部に所定の深さを含むように、レーザカットしてもよい。
【００３６】
ミッドフレームコンポーネント１５０４は、補強材として機能し、ｅリーダ装置１００の剛性および強度を追加する。図１５にみられるように、ミッドフレームコンポーネント１５０４は、背面カバー１５０２とディスプレイユニット１５０６の間に位置する。ミッドフレームコンポーネント１５０４は、例えばマグネシウムで形成してもよい。ミッドフレームコンポーネント１５０４は、マグネシウムに限らず、任意の他の金属（例えば、アルミニウム、チタンなど）でもよい。例示的な実施形態では、ミッドフレームコンポーネント１５０４はダイカストやコーモールドによるものでもよい。図１５〜１８にみられるように、ミッドフレームコンポーネント１５０４は、バッテリ１８０４を収容するように構成された第１の凹部１５１２と、プリント回路板（ＰＣＢ）１８０２を収容するように構成された第２の凹部１５１０を含む。ミッドフレームコンポーネント１５０４は、また、軽量化部分１５１４も含む。例示的な実施形態では、第１の凹部１５１２は、形状が長方形であり、バッテリ１８０４は、第１の凹部１５１２と面一で保持できる。しかしながら、第１の凹部１５１２は、バッテリの形状に合わせた任意の形状でよい。例示的な実施形態では、第１の凹部１５１２は、穴も穿孔形成部も存在しないような連続する材料で形成される。代替的に、第１の凹部１５１２は、軽量化するために穴または穿孔形成部２０１０を包含していてもよい。ミッドフレームコンポーネント１５０４は、電子書籍リーダ装置１００の剛性を高めることができる。具体的には、電子書籍リーダ装置１００が薄型（例えば、６．９９ミリメートル）であるため、所定のレベルの剛性を有することが有利である。
【００３７】
例示的な実施形態では、第２の凹部１５１０は、形状が長方形であり、軽量化するための穴または穿孔形成部２０１０を含む。しかしながら、第２の凹部１５１０は、ＰＣＢ１８０２の形状に対応するいかなる形状でもよい。穴２０１０は、円形、矩形、三角形、六角形、五角形、または任意の他の形状でよい。ＰＣＢ１８０２は、第２の凹部１５１０と面一で保持することができる。図１５にみられるように、軽量化部分１５１４は、第１の凹部１５１２と第２の凹部１５１０を含まないミッドフレームコンポーネント１５０４の領域の大部分を覆う。軽量化部分１５１４は、もっとも薄い部分であるミッドフレームコンポーネント１５０４の剛性を高めるためにリブ付きまたは格子型構造を有していてもよい。図１５は、縦方向のリブパターンの間に穿孔された穴２０１０があるため、剛性は高めるが、軽量化するハニカムリブ構造を示している。リブ構造は、ハニカム構造に限らず、代わりに、任意の形状（三角形、五角形など）に形成されてもよい。第１の凹部１５１２と第２の凹部１５１０を含むミッドフレームコンポーネント１５０４の反対側において、ミッドフレームコンポーネント１５０４は、ガラスで裏打ちされたディスプレイ画面の代わりにプラスチックで裏打ちされたディスプレイ画面を収容してもよい。これにより、ｅリーディング装置１００はより薄型に形成することができる。
【００３８】
ディスプレイユニット１５０６は、ディスプレイ画面１０４を含む。ディスプレイ画面１０４は、例えば、タッチパネルと積層し、フロントライトパネルを有する可撓性Ｅインクディスプレイでもよい。ディスプレイ画面１０４は、アンチグレアのカバーレンズを有していてもよい。
【００３９】
図１９にみられるように、デコプレート１５０８は、ディスプレイユニット１５０６の最上部に位置するプレートである。デコプレート１５０８は、予め印刷したソフトな感触のインモールド転写（ＩＭＲ）フィルムを最上部にインサート成形される。図１５および１６にみられるように、デコプレート１５０８の下側には、２つ以上の磁石１５１６を含んでいてもよい。例示的な実施形態では、磁石１５１６の形状は長方形である。しかしながら、磁石１５１６は円形、矩形、または任意の他の形状でもよい。デコプレート１５０８内の磁石１５１６を使って、ｅリーダ装置１００の保護アクセサリケースの前側フラップ（すなわち、カバー）の対応する磁石と相互作用させることができる。すなわち、ディスプレイ画面１０４を保護するように設計されたケースの前側フラップは、前側フラップが閉じた位置にあり、ディスプレイ画面１０４と接触しているときに、デコプレート１５０８の磁石１５１６と整列する定位置に磁石を有していてもよい。ケースの前側フラップ内の磁石と、デコプレート１５０８内の磁石１５１６は、ｅリーダ装置１００を使用していない時には、前側フラップを閉じた状態にする。
【００４０】
図１６は、例示的な実施形態によるｅリーダ装置１００の分解図（機械的な積み重ね）であり、図１５の斜視図とは異なる。
【００４１】
図１７は、例示的な実施形態によるｅリーダ装置１００の分解図（機械的な積み重ね）であり、図１５の斜視図とは異なる。
【００４２】
図１８は、例示的な実施形態によるｅリーダ装置１００の分解図（機械的な積み重ね）であり、図１５の斜視図とは異なる。また、この図は、バッテリ１８０４とＰＣＢ１８０２を装備したミッドフレームコンポーネント１５０４を示す。ディスプレイユニット１５０６は図１８には表示されていないミッドフレームコンポーネント１５０４の一側に位置するトレイ／凹部２００２に嵌合する。
【００４３】
図１９は、例示的な実施形態によるｅリーダ装置１００の分解図（機械的スタックアップ）であり、図１５の斜視図とは異なる。図１９は、ディスプレイユニット１５０６がミッドフレームコンポーネント１５０４のトレイ／凹部２００２（図２０Ｃを参照）にぴったりと嵌合している様子を示す。図１９は、また、デコプレート１５０８とは別体のコンポーネントであるボタンモジュール１９０２も示す。ボタンモジュール１９０２のボタンは、デコプレート１５０８の切り取り部の内部にフィットする。例示的な実施形態では、ボタンモジュール１９０２は、ｅリーダ装置上に表示されているページを前後にめくる際に使用する２つのボタンを有する。ボタンモジュール１９０２は、２つのページボタンに加え、他の機能を割り当てられた別のボタンを有していてもよい。
【００４４】
図２０Ａ、２０Ｂ、２０Ｃ、および２０Ｄは、ミッドフレームコンポーネント１５０４の異なる方向／側から見た図を示す。図２０Ａおよび２０Ｃにみられるように、ミッドフレームコンポーネント１５０４は、ディスプレイユニット１５０６を収容する第１の側２００４を有する。ディスプレイユニット１５０６は、第１の側２００４の周囲を囲む立設したエッジ２００８によってミッドフレームコンポーネント１５０４上の定位置に保持されている。図２０Ｂおよび２０Ｄにみられるように、ミッドフレームコンポーネント１５０４は第２の側２００６を有する。第２の側２００６は、バッテリ１８０４を収容する第１の凹部１５１２（すなわち、バッテリー収容部）を含むと共にＰＣＢ１８０２を収容する第２の凹部１５１０を含む。第２の側２００６は、また、１つ以上のアンテナ収容部２０１２を含む。例示的な実施形態では、２つのアンテナ収容部２０１２がある。例示的な実施形態では、２つのアンテナ収容２０１２のそれぞれは、ミッドフレームコンポーネント１５０４の角部に位置する。立設した境界壁２０１４は、第１の凹部１５１２と第２の凹部１５１０と、穿孔／穴２０１０を有する軽量化部の間の仕切りを形成する。
【００４５】
第１と第２のボタン１１４、１１６の操作について以下にさらに詳しく説明する。第１と第２のボタン１１４、１１６は、ページめくりボタンとして機能することができる。ｅリーダ装置１００が、ユーザの右手がｅリーダ装置の拡張筐体部１１８を保持した状態で図９に示す向きにある場合、第２のボタン１１６を一回押すと、表示されている本／テキストが１ページ進む。第１のボタン１１４を１回押すと、本／テキストが前のページに１ページ戻る。第２のボタン１１６を長押しすると、複数ページ進むことができ、第２のボタン１１６を長押しすると、ページの進みがより速くなる。同様に、第１のボタン１１４を長押しすると、複数ページ戻ることができ、第１のボタン１１４を長押しすると、前ページへの移動がより速くなる。第１のボタン１１４または第２のボタン１１６を長押しすると（ファストフリップモード）、データがキャプチャされ、めくられた多数のページをｅリーダ装置１００に保存することができる。この情報は、例えば、学生が教科書または他の本のセクションを飛ばしたかどうかを判断する際に重要となり得る。
【００４６】
ボタン１１４、１１６でページを前後にめくることに加え、これらのボタンを使って本以外のスクロールを制御することができる。例えば、複数のページ数を有するウェブページが表示されている場合、ボタン１１４、１１６を使ってページを上下にスクロールすることができ、ユーザは画面上で指を使う必要はない。これにより、ユーザは両手ではなく、片手で装置を保持して制御することができる。また、ｅリーダ装置１００が本のライブラリ（すなわち、ｅリーダのライブラリまたは書棚）を表示している時には、ボタン１１４、１１６により、ユーザはその本のライブラリ全体のページを上下させることができる。ボタン１１４、１１６を使って表示されているメニュー全体をスクロールすることもできる。
【００４７】
また、ＰＤＦドキュメント／画像をディスプレイ画面１０４上で見るときにもボタン１１４、１１６を使うことができる。ディスプレイ画面１０４がＰＤＦドキュメント／画像のページ全体を表示していない場合に、ボタン１１４、１１６を押すことによって、ＰＤＦドキュメントのページを変更するのではなく、現在見えているＰＤＦの部分を変更することができる。言い換えれば、ボタン１１４、１１６により、ＰＤＦドキュメントの中のページをめくって別のページへ飛ぶのではなく、ＰＤＦドキュメントの１ページの中で別の箇所の間を移動することができる。このモードでは、ボタンは、ＰＤＦのページの中の小領域の間を上下移動するために使用される。例えば、ＰＤＦページの上半分が表示されており、ＰＤＦページの下半分が表示されていない場合、ボタン１１４、１１６のうちの下側のボタンを押すことによって、次のページを表示するのではなく、ＰＤＦページの下半分が、表示される。
【００４８】
ボタン１１４、１１６の機能は、ｅリーダ装置１００の向きと関係しており、それは加速度計で検出される。例えば、ｅリーダ装置１００は、ユーザの左手がｅリーダ装置１００の拡張筐体部１１８を保持している向きにある場合、第２のボタン１１６を押すことによって、前のページ／前の複数のページへ移動する、あるいは何が表示されているかによって上方向にスクロールすることができる。同様に、第１のボタン１１４を押すことによって、次のページ／次の複数のページへ移動する、あるいは、何が表示されているかによって下方向にスクロールすることができる。ディスプレイ画面１０４上のテキスト／イメージは、ｅリーダ装置１００の向きに基づいて、４つの異なる向きを有しており、ボタン１１４、１１６が前のページへ飛ぶ／上方向にスクロールするように機能するか、次のページへ飛ぶ／下方向にスクロールするように機能するかは、ｅリーダ装置１００の検出された方向によるものである。
【００４９】
例示的な実施形態では、ｅリーダ装置１００は、ユーザが選択可能な画面回転ロック機能を有する。例えば、ユーザは、ディスプレイ画面１０４上に表示されるユーザ選択可能な画面回転ロック機能の開始のためのメニューにアクセスし、縦向きまたは横向きのいずれかに画面をロックさせることができるオプションを選択することができる。例示的な実施形態では、画面が縦向きモードにロックされており、ユーザが装置１００を保持する手を入れ替えた（装置を１８０度回転させた）場合、画面は自動的に１８０度回転し、縦向きのままとなる。つまり、画面上の画像の向きは、手を持ち替えた後も、その前と同じということになる。これを図２１Ａおよび２１Ｃに示す。画面が縦向きモードにロックされて、ユーザの右手内に保持されている場合（図２１Ａ）、ｅリーダ装置１００が、ユーザの左手に持ち替えられ（図２１Ｃ）、画面は縦向きのままとなり、表示されていた画面は、手を持ち帰る前と同じ向きである（装置が１８０度回転した状態）。横向きは、装置１００が回転されている間は表示されない（図２１Ｂ参照）。同様に、画面が横向きにロックされており、ユーザが装置１００を保持する手を入れ替えた（装置を１８０度回転させた）場合、画面は自動的に１８０度回転し、横向きのままとなる。縦向きは、装置１００が回転されている間は表示されない。
【００５０】
図２２は、ユーザが選択可能な画面回転ロック機能をさらに説明するフローチャートである。ステップＳ１００で、ユーザは、ユーザが選択可能な画面回転ロック機能の開始のためのメニューにアクセスする。次に、ステップＳ１０２で、ユーザは、縦向き（または横向き）に画面をロックするメニューオプションを選択する。ステップＳ１０４で、ユーザが、画面を９０度回転させると、画面は縦向き（または横向き）に留まる。ステップＳ１０６で、ユーザが、画面を前回の回転と同じ方向にさらに９０度（例えば、図２１Ｂの装置の向きから図２１Ｃの装置の向きへ）回転させると、画面は、１８０度転回するので、画面が縦向きであり、かつ、画面が回転の前と同じ向き（例えば、図２１Ａの元の画像の向き）になる。
【００５１】
画面回転ロック機能を使用しておらず、ｅリーダ装置１００が自動回転モードとなり、ユーザが装置１００を縦向きから横向きに動かすと、画面１０４は、すぐに向きが入れ替わるのではなく、ユーザに、本当に画面１０４を回転させたいかを尋ねるメッセージが表示される。例えば、ユーザが横向きにベッドに横たわって縦向きモードで読んでいる場合、横向きモードへの画面１０４の切り替えを望まない。自動回転モードでは、ユーザが装置１００を横向きから縦向きに移動させる場合、同様のメッセージが表示される。よって、ユーザが選択可能な画面回転ロック機能によれば、ユーザは、画面を縦向きモード（図２１Ａ）にロックすることができ、そうすることによって、彼らがベッド上に横向き横たわって読んでいるときには、画面は図２１Ｂに示す、適した向きとなる。画面は、ユーザが画面を縦向きモードにロックした状態で横向きに横たわっている間に、自動的に横向きモードに切り替わることはない。
【００５２】
ＰＣＢ１８０２（図１８に示す）は、２つ以上のプロセッサ装置と、上記の実施形態を実装する際に使用できる、１つ以上の記憶装置（例えば、ＲＯＭ、ＲＡＭ、ハードドライブなど）を含んでいてもよい。ハードウェア、ソフトウェア、またはそれらの任意の組合せは、本明細書で説明する方法を実装するために使用されるモジュールとコンポーネントを具現化することができる。プログラム可能な論理を使用する場合、そのような論理は、市販の処理プラットフォームまたは特殊目的の装置上で実行できる。プロセッサ装置は、１つ以上のプロセッサ「コア」を有していてもよい。本明細書で使用する「コンピュータプログラム媒体」「非一時的コンピュータ可読媒体」および「コンピュータが使える媒体」という用語は、概ね、取り外し可能な記憶ユニットおよび／またはハードディスクドライブに設置されたハードディスクなどのような、有形の媒体をいう。ＰＣＢ１８０２に保存されたデータは、磁気テープ記憶装置（例えばハードディスクドライブ）などのような任意のタイプの適したコンピュータ可読媒体上に保存することができる。また、コンピュータプログラムは、ｅリーダ装置１００の通信インターフェースを介してＰＣＢ１８０２によって受信することもできる。このようなコンピュータプログラムが、実行されると、ｅリーダ装置１００のＰＣＢ１８０２が本明細書で説明する本方法を実装できるようになる。
【００５３】
例示的な実施形態は電子書籍リーダ装置１００に向けたものであり、筐体を含み、筐体の外面は、第１の主面１０２と、第２の主面３０２と、第１のエッジ１０６と、第２のエッジ１０８と、第３のエッジ１１０と、第４のエッジ１１２とを含み、第１のエッジ１０６と、第２のエッジ１０８と、第３のエッジ１１０と第４のエッジ１１２のそれぞれは、第１の主面１０２と第２の主面３０２の間に位置し、第３のエッジ１１０は、第４のエッジ１１２と平行であり、第１のエッジ１０６は、筐体を挟んで第２のエッジ１０８の反対側に位置する。ディスプレイ１０４は筐体に囲まれている。電子書籍リーダ装置１００の第１の主面１０２は、ディスプレイ１０４を含み、電子書籍リーダ装置１００の第２の主面３０２は、第１の主面１０２の反対側の面である。筐体は、ディスプレイ１０４の１つのエッジから所定の距離だけ離間した拡張筐体部１１８を含むことから非対称であり、第１の主面１０２と第２の主面３０２との間の筐体の厚みは、第２のエッジ１０８から第１のエッジ１０６に向かって増加し、筐体は、拡張筐体部１１８において上向きに曲げられており、拡張筐体部１１８の第１の主面１０２は、ディスプレイ１０４の外面の上方に位置している。上向きの屈曲により、電子書籍リーダ装置１００が取り上げやすくなっている。上向きの屈曲により、電子書籍リーダ装置１００は、より取り上げやすくなっている。例えば、第２の主面３０２がテーブルのような平面に接触している際に、平面と上向きに屈曲した部分の底面との間に空間ができ、そこに、電子書籍リーダ装置１００を取り上げやすいようにユーザが指を位置させることができる。また、上向きの屈曲の厚みの増加は、薄い筐体を有する電子書籍リーダ装置より、ユーザが電子書籍リーダ装置１００をよりしっかりと把持することができるようになる。
【００５４】
例示的な実施形態では、第１の主面１０２は、拡張筐体部１１８の第２の主面３０２に平行である。
【００５５】
例示的な実施形態では、第１の主面１０２は、拡張筐体部１１８の外側の第２の主面３０２に平行ではない。
【００５６】
例示的な実施形態では、拡張筐体部１１８は、第１のボタン１１４および第２のボタン１１６を含む。
【００５７】
例示的な実施形態では、第１のボタン１１４および第２のボタン１１６は、第１の主面１０２を超えて延在するように立設されている。
【００５８】
例示的な実施形態では、第１のボタン１１４および第２のボタン１１６は、所定の距離だけ互いに離間している。例示的な実施形態では、所定の距離とは、電子書籍リーダ装置１００を縦向きおよび横向きに保持したときに親指が届く範囲内の距離である。
【００５９】
例示的な実施形態では、第１のボタン１１４と第２のボタン１１６は、それぞれ、長方形を有しており、その長方形は、第１のエッジ１０６に平行な長手の軸を有する。
【００６０】
例示的な実施形態では、電子書籍リーダ装置１００は、さらに、電子書籍リーダ装置１００に剛性を提供するミッドフレームコンポーネント１５０４を含む。ミッドフレームコンポーネント１５０４は、ディスプレイユニット１５０６を保護するように構成され、ミッドフレームコンポーネント１５０４は、バッテリ１８０４を収容するように構成された第１の凹部１５１２と、プリント回路板１８０２を収容するように構成された第２の凹部１５１０を含む。
【００６１】
例示的な実施形態では、第２の凹部１５１０は、軽量化するための複数の穴または穿孔形成部２０１０を有する。
【００６２】
例示的な実施形態では、ミッドフレームコンポーネント１５０４は、複数の孔または軽量化するための部分で、リブまたは格子型構造を有する軽量化部分１５１４を含む。
【００６３】
例示的な実施形態では、格子型構造は、ハニカム構造である。
【００６４】
例示的な実施形態では、ミッドフレームコンポーネント１５０４の厚みは、先細となっており、軽量化部分１５１４で最も薄くなっている。
【００６５】
例示的な実施形態では、ディスプレイ１０４は、プラスチックで裏打ちされたディスプレイ画面である。
【００６６】
例示的な実施形態では、ミッドフレームコンポーネント１５０４は、マグネシウムでできている。
【００６７】
例示的な実施形態では、第２の主面３０２は、プラスチックで形成された背面カバー１５０２である。
【００６８】
例示的な実施形態では、背面カバー１５０２のプラスチックは、把持性を与えるために、インモールドのマイクロ構造またはソフトな感触の被覆を有している。
【００６９】
例示的な実施形態では、拡張筐体部１１８の第１の主面１０２は、ソフトな感触の被覆がなされているかザラ付きが施されている（例えばゴムなど）。
【００７０】
例示的な実施形態では、第１の曲線的角部１２０は、第１のエッジ１０６を第３のエッジ１１０に接続し、第２の曲線的角部１２２は、第１のエッジ１０６を第４のエッジ１１２に接続し、第３の曲線的角部１２４は、第３のエッジ１１０を第２のエッジ１０８に接続し、第４の曲線的角部１２６は、第２のエッジ１０８を第４のエッジ１１２に接続する。
【００７１】
例示的な実施形態では、電子書籍リーダ装置１００の拡張筐体部１１８（把持部領域）を保持するときに手のひらに最大限の快適さをもたらすように、第１の曲線的角部１２０および第２の曲線的角部１２２の半径は、第３の曲線的角部１２４および第４の曲線的角部１２６の半径より大きくなっている。
【００７２】
例示的な実施形態では、拡張筐体部１１８は、ディスプレイ１０４を保護するための保護ケースのフラップ内の対応する磁石と相互作用するように構成された１つ以上の磁石１５１６をその内部に有する。
【００７３】
例示的な実施形態は、筐体を含み、筐体の外面は、第１の主面１０２と、第２の主面３０２とを含み、第１のエッジ１０６と、第２のエッジ１０８と、第３のエッジ１１０と、第４のエッジ１１２とを含み、第１のエッジ１０６と、第２のエッジ１０８と、第３のエッジ１１０と第４のエッジ１１２のそれぞれは、第１の主面１０２と第２の主面３０２の間に位置し、筐体によって囲まれたディスプレイ１０４、１５０６を含む、電子書籍リーダ装置１００に向けたものである。電子書籍リーダ装置１００の第１の主面１０２は、ディスプレイ１０４を含み、電子書籍リーダ装置１００の第２の主面３０２は、第１の主面１０２の反対側の面である。筐体は、ディスプレイ１０４の１つのエッジから所定の距離だけ離間した拡張筐体部１１８を含み、拡張筐体部１１８は、テキストおよび／またはディスプレイ１０４上に表示された画像の動きを制御するように構成された第１のボタン１１４と第２のボタン１１６を含む。
【００７４】
例示的な実施形態では、第１のボタン１１４および第２のボタン１１６は、第１の主面１０２を超えて延在するように立設されている。
【００７５】
例示的な実施形態では、第１のボタン１１４および第２のボタン１１６は、所定の距離だけ互いに離間している。
【００７６】
例示的な実施形態では、第１のボタン１１４と第２のボタン１１６は、それぞれ、長方形を有しており、その長方形は、第１のエッジ１０６に平行な長手の軸を有する。
【００７７】
例示的な実施形態では、第１のボタン１１４および第２のボタン１１６は同じ形状を有しており、スペーサ１２８は、第１のボタン１１４と第２のボタン１１６の間に位置しており、スペーサ１２８は第１のボタン１１４と第２のボタン１１６と接触している。
【００７８】
例示的な実施形態では、スペーサ１２８は、第１のボタン１１４および第２のボタン１１６と同じ形状および寸法であるが、スペーサ１２８の外面は、第１の主面１０２の外面と面一である。
【００７９】
例示的な実施形態では、検出された電子書籍リーダ装置１００の物理的な向きに基づいて、第１のボタン１１４は、ユーザが一度押すと１ページに表示されているドキュメントまたは画像が進むように構成されるとともに、第２のボタン１１６は、ユーザが一度押すと、表示されていたドキュメントまたは画像が１ページ戻るように構成され、あるいは、第１のボタン１１４は、ユーザが一度押すと、表示されているドキュメントまたは画像を１ページ戻すように構成されるとともに、第２のボタン１１６はユーザが一度押すと１ページに表示されていたドキュメントまたは画像が進むように構成される。
【００８０】
例示的な実施形態では、第１のボタン１１４または第２のボタン１１６は、第１のボタン１１４または第２のボタン１１６が長押しされると、複数のページを進む、または戻るように構成されており、第１のボタン１１４または第２のボタン１１６が長押しされる時間が長ければ長いほど、ページの移動は速くなる。
【００８１】
例示的な実施形態では、電子書籍リーダ装置１００は、第１のボタン１１４または第２のボタン１１６が長押しされると、進む、または戻る多くのページを保存するように構成されたメモリ装置を含む。
【００８２】
例示的な実施形態では、第１のボタン１１４および第２のボタン１１６は、複数の電子書籍に関する情報を表示するメニューの中で上下方向のスクロールを制御するように構成されている。
【００８３】
例示的な実施形態では、第１のボタン１１４および第２のボタン１１６は、表示されたウェブページまたはメニューの中で上下方向の呼び出しを制御するように構成されている。
【００８４】
例示的な実施形態では、ポータブル・ドキュメント・フォーマット（ＰＤＦ）ファイルがディスプレイ１０４に表示されているとき、また、ディスプレイ１０４がＰＤＦファイルのページ全体を表示していないとき、第１のボタン１１４および第２のボタン１１６は、押下されると、ＰＤＦファイルのページのどの部分を閲覧するかを制御するように構成されている。
【００８５】
例示的な実施形態は、プロセッサ装置、メモリ装置、ディスプレイ１０４、および加速度計を包含する筐体を含み、第１のボタン１１４および第２のボタン１１６は、筐体の外面に位置している電子書籍リーダ装置１００を制御するための方法に向けたものである。本方法は、加速度計によって、電子書籍リーダ装置１００の向きを検出することと、ユーザによって第１のボタン１１４を押下することと、プロセッサ装置によって、第１のボタン１１４の押下と検出された電子書籍リーダ装置の向きとに基づいてディスプレイ１０４上に表示されているテキストおよび／または画像の動きを制御することとを含む。
【００８６】
例示的な実施形態では、第１のボタン１１４が一度押下されると、本方法は、ディスプレイ１０４上に表示されているドキュメントまたは画像を制御して１ページ進めるか１ページ戻すことを含む。
【００８７】
例示的な実施形態では、本方法は、ユーザが第２のボタン１１６を一度押下することと、ディスプレイ１０４上に表示されているドキュメントまたは画像を制御して１ページ進めるか１ページ戻すこととを含む。
【００８８】
例示的な実施形態では、第１のボタン１１４を押下することは、第１のボタン１１４を長押しすることを含む場合、本方法は、表示されているドキュメントまたは画像を制御して、第１のボタン１１４の長押しに基づいて複数のページを進めるまたは戻すことを含み、第１のボタン１１４の長押しされる時間が長ければ長いほど、ページの移動は速くなる。
【００８９】
例示的な実施形態では、本方法は、第１のボタン１１４が長押しされると、進められた、または戻された多くのページをメモリ装置に保存することを含む。
【００９０】
例示的な実施形態では、本方法は、ディスプレイ１０４に複数の電子書籍に関する情報を表示するメニューを表示することを含み、第１のボタン１１４の押下は、複数の電子書籍に関する情報を表示するメニュー内を上下にスクロールすることを制御する。
【００９１】
例示的な実施形態では、第１のボタン１１４を押下することは、表示されたウェブページまたはメニューの中で上下方向の呼び出しを制御する。
【００９２】
例示的な実施形態では、本方法は、ディスプレイ１０４に、ポータブル・ドキュメント・フォーマット（ＰＤＦ）ファイルを表示することを含み、ディスプレイ１０４がＰＤＦファイルのページ全体を表示していないとき、第１のボタン１１４の押下は、ＰＤＦファイルのページのどの部分を閲覧するかを制御する。
【００９３】
例示的な実施形態は、処理回路、加速度計、ディスプレイ画面１０４を含む電子書籍リーダ装置１００の画面の回転を制御するための方法に向けたものである。本方法は、処理回路によって、電子書籍リーダ装置１００の画面回転ロック機能を開始するためのメニューへのアクセスの要求を受信することと、ディスプレイ画面１０４上に、画面回転ロック機能を開始するためのメニューを表示することと、処理回路によって複数の画面の向きの中からディスプレイ画面１０４に対する１つの特定の画面の向きの選択を受信することと、電子書籍リーダ装置１００を９０度回転させることと、加速度計によって９０度の回転を検出することと、ディスプレイ画面１０４に表示されている画面を、選択された１つの特定の画面の向きに維持することと、を含む。
【００９４】
例示的な実施形態では、本方法は、電子書籍リーダ装置１００を前回の回転と同じ方向にさらに９０度回転させることと、加速度計によって、別の９０度の回転を検出することと、処理回路によって、１８０度転回させて、画面が回転の前と同じ向きになるようにディスプレイ画面に表示されている画面を制御することとを含む。
【００９５】
例示的な実施形態では、複数の画面の向きは、縦向きと横向きである。
【００９６】
例示的な実施形態では、１つの特定の画面の向きの選択は、縦向きまたは横向きの選択である。
【００９７】
例示的な実施形態では、９０度の回転の間、およびさらなる９０度の回転の間、選択した１つの特定の画面の向きのみが表示される。
【００９８】
例示的な実施形態では、本方法は、電子書籍リーダ装置１００が自動回転モードにあるときには、電子書籍リーダ装置１００を９０度回転させることと、加速度計によって９０度の回転を検出することと、ディスプレイ画面１０４上に、表示された画面の回転を行うかどうかをユーザに尋ねるメッセージを表示することとを含む。
【００９９】
例示的な実施形態は、電子書籍リーダ装置１００の処理回路で実行した場合、処理回路に、画面の回転を制御する方法を実施させる、コンピュータ可読命令を記憶した非一時的なコンピュータ可読記憶媒体に向けたものである。本方法は、電子書籍リーダ装置１００の画面回転ロック機能を開始するためのメニューへのアクセスの要求を受信することと、ディスプレイ画面１０４上に、画面回転ロック機能を開始するためのメニューを表示することと、複数の画面の向きの中からそのディスプレイ画面１０４に対する１つの特定の画面の向きの選択を受信することと、電子書籍リーダ装置１００の９０度の回転を検出することと、電子書籍リーダ装置１００のディスプレイ画面１０４に表示されている画面を、選択された１つの特定の画面の向きに維持することと、を含む。
【０１００】
例示的な実施形態では、本方法は、電子書籍リーダ装置１００の、前回の回転と同じ方向にさらに９０度の回転を検出することと、１８０度転回させて、画面が回転の前と同じ向きになるようにディスプレイ画面に表示されている画面を制御することとを含む。
【０１０１】
例示的な実施形態では、複数の画面の向きは、縦向きと横向きである。
【０１０２】
例示的な実施形態では、１つの特定の画面の向きの選択は、縦向きまたは横向きの選択である。
【０１０３】
例示的な実施形態では、９０度の回転の間、および他方の９０度の回転の向きの間、選択した１つの特定の画面の向きのみが表示される。
【０１０４】
例示的な実施形態では、本方法は、電子書籍リーダ装置１００が自動回転モードにあるときに、電子書籍リーダ装置１００の９０度の回転を検出することと、ディスプレイ画面１０４上に、表示されている画面の回転を行うかどうかをユーザに尋ねるメッセージを表示することとを含む。
【０１０５】
例示的な実施形態は、加速度計、ディスプレイ画面１０４、および処理回路を含む電子書籍リーダ装置１００に向けたものである。処理回路は、電子書籍リーダ装置１００の画面回転ロック機能を開始するためのメニューへのアクセスの要求を受信し、ディスプレイ画面１０４上に、画面回転ロック機能を開始するためのメニューを表示させ、複数の画面の向きの中からディスプレイ画面１０４に対する１つの特定の画面の向きの選択を受信し、電子書籍リーダ装置１００が、加速度計によって、９０度回転したことが検出されたことを示す情報を受信し、ディスプレイ画面１０４に表示されている画面を、選択された１つの特定の画面の向きに維持するように構成される。
【０１０６】
例示的な実施形態では、処理回路は、電子書籍リーダ装置１００の前回の回転と同じ方向にさらに９０度の回転を検出し、１８０度転回させて、画面が回転の前と同じ向きになるようにディスプレイ画面に表示されている画面を制御するように構成される。
【０１０７】
例示的な実施形態では、複数の画面の向きは、縦向きと横向きである。
【０１０８】
例示的な実施形態では、１つの特定の画面の向きの選択は、縦向きまたは横向きの選択である。
【０１０９】
例示的な実施形態では、９０度の回転の間、およびさらなる９０度の回転の間、選択した１つの特定の画面の向きのみが表示される。
【０１１０】
例示的な実施形態では、処理回路は、電子書籍リーダ装置１００が自動回転モードにあるときには、電子書籍リーダ装置１００が、９０度回転したことが検出されたことを示す情報を受信し、表示されている画面１０４上に、表示されている画面の回転を行うかどうかをユーザに尋ねるメッセージを表示するように構成される。
【０１１１】
例示的な実施形態は、電子書籍リーダ装置１００の処理回路で実行した場合、処理回路に、画面の回転を制御する方法を実施させる、コンピュータ可読命令を記憶した非一時的なコンピュータ可読記憶媒体に向けたものである。本方法は、電子書籍リーダ装置１００が、自動回転モードにあるときに、電子書籍リーダ装置１００の９０度の回転を検出することと、ディスプレイ画面１０４上に、表示されている画面の回転を行うかどうかをユーザに尋ねるメッセージを表示することと、を含む。
【０１１２】
開示された主題の実施形態を説明してきたが、従来技術の当業者にとっては、これまでの説明がすべて例示に過ぎず、限定するものではなく、例示の目的のみで提供されていることは理解できよう。よって、本明細書では特定の構成を論じているが、他の構成も採用できる。本開示によって多くの変更や他の実施形態（例えば、組合せ、再配置など）が可能となり、通常の従来技術の１つの範囲内に含まれ、開示された主題およびその等価物の範囲内に含まれることを意図している。開示された実施形態の特徴は、本発明の範囲内で組合せ、再配置、省略などを行って別の実施形態を生成することが可能である。さらに、ある特徴は、他の特徴を対応して使用することなく、有利に使用することもできる。よって、出願者は、開示された主題の精神と範囲内におけるこれらの代替、変更、等価、および多様化をすべて包含するものである。
【符号の説明】
【０１１３】
１００  ｅリーダ装置
１００  電子書籍リーダ装置
１０２  第１の主面
１０４  ディスプレイ画面
１０６  第１のエッジ
１０８  第２のエッジ
１１０  第３のエッジ
１１２  第４のエッジ
１１４  第１のボタン
１１６  第２のボタン
１１８  拡張筐体部
１２０、１２２、１２４、１２６  角部
１２８  スペーサ
２０２  オン／オフボタン
３０２  第２の主面
１５０２  背面カバー
１５０４  ミッドフレームコンポーネント
１５０６  ディスプレイユニット
１５０８  デコプレート
１５１０  第２の凹部
１５１２  第１の凹部
１５１４  軽量化部分
１５１６  磁石
１８０２  プリント回路板（ＰＣＢ）
１８０４  バッテリ
２０１０  穴
【図１】
2021527280.tif 000003
【図２】
2021527280.tif 000004
【図３】
2021527280.tif 000005
【図４】
2021527280.tif 000006
【図５】
2021527280.tif 000007
【図６】
2021527280.tif 000008
【図７】
2021527280.tif 000009
【図８】
2021527280.tif 000010
【図９】
2021527280.tif 000011
【図１０】
2021527280.tif 000012
【図１１】
2021527280.tif 000013
【図１２】
2021527280.tif 000014
【図１３】
2021527280.tif 000015
【図１４】
2021527280.tif 000016
【図１５】
2021527280.tif 000017
【図１６】
2021527280.tif 000018
【図１７】
2021527280.tif 000019
【図１８】
2021527280.tif 000020
【図１９】
2021527280.tif 000021
【図２０Ａ】
2021527280.tif 000022
【図２０Ｂ】
2021527280.tif 000023
【図２０Ｃ】
2021527280.tif 000024
【図２０Ｄ】
2021527280.tif 000025
【図２１Ａ】
2021527280.tif 000026
【図２１Ｂ】
2021527280.tif 000027
【図２１Ｃ】
2021527280.tif 000028
【図２２】
2021527280.tif 000029
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
電子書籍リーダ装置であって、
筐体であって、前記筐体の外面は、第１の主面と、第２の主面と、第１のエッジと、第２のエッジと、第３のエッジと、第４のエッジとを含み、前記第１のエッジと、前記第２のエッジと、前記第３のエッジと前記第４のエッジのそれぞれは、前記第１の主面と前記第２の主面の間に位置し、前記第３のエッジは、前記第４のエッジと平行であり、前記第１のエッジは、前記第２のエッジの、前記筐体を挟んで反対側に位置する、筐体と、
前記筐体に囲まれたディスプレイを含み、
前記電子書籍リーダ装置の前記第１の主面は、前記ディスプレイを含み、前記電子書籍リーダ装置の前記第２の主面は、前記第１の主面の反対側の面であり、
前記筐体は、前記ディスプレイの１つのエッジから所定の距離だけ離間した拡張筐体部を含むことから非対称であり、前記第１の主面と前記第２の主面との間の前記筐体の厚みは、前記第２のエッジから前記第１のエッジに向かって増加し、前記筐体は、前記拡張筐体部において上向きに曲げられており、前記拡張筐体部の前記第１の主面は、前記ディスプレイの外面の上方に位置しており、
前記電子書籍リーダ装置に剛性を与えてディスプレイユニットを保護するように構成されたミッドフレームコンポーネントをさらに含み、
前記ミッドフレームコンポーネントの厚みは、前記筐体の前記第１のエッジから前記第２のエッジに向かうにつれて徐々に小さくなっている、電子書籍リーダ装置。
【請求項２】
前記第１の主面は前記拡張筐体部の前記第２の主面に平行である、請求項１に記載の電子書籍リーダ装置。
【請求項３】
前記第１の主面は前記拡張筐体部の外側の前記第２の主面とは平行でない、請求項２に記載の電子書籍リーダ装置。
【請求項４】
前記拡張筐体部は、第１のボタンと第２のボタンを含む、請求項１に記載の電子書籍リーダ装置。
【請求項５】
前記第１のボタンおよび前記第２のボタンは、前記第１の主面を超えて延在するように立設されている、請求項４に記載の電子書籍リーダ装置。
【請求項６】
前記第１のボタンおよび前記第２のボタンは、所定の距離だけ互いに離間している、請求項５に記載の電子書籍リーダ装置。
【請求項７】
前記第１のボタンと前記第２のボタンは、それぞれ、長方形を有しており、前記長方形は、前記第１のエッジに平行な長手の軸を有する、請求項６に記載の電子書籍リーダ装置。
【請求項８】
前記ミッドフレームコンポーネントは、バッテリを収容するように構成された第１の凹部と、プリント回路板を収容するように構成された第２の凹部を含む、請求項１に記載の電子書籍リーダ装置。
【請求項９】
前記第２の凹部は、軽量化するための複数の穴または穿孔形成部を有する、請求項８に記載の電子書籍リーダ装置。
【請求項１０】
前記ミッドフレームコンポーネントは、複数の穴または軽量化するための部分で、リブまたは格子型構造を有する軽量化部分を含む、請求項９に記載の電子書籍リーダ装置。
【請求項１１】
前記格子型構造はハニカム構造である、請求項１０に記載の電子書籍リーダ装置。
【請求項１２】
前記ミッドフレームコンポーネントの厚みは、前記軽量化部分で最も細くなっている、請求項１０に記載の電子書籍リーダ装置。
【請求項１３】
前記ディスプレイは、プラスチックで裏打ちされたディスプレイ画面である、請求項８に記載の電子書籍リーダ装置。
【請求項１４】
前記ミッドフレームコンポーネントはマグネシウムから形成される、請求項８に記載の電子書籍リーダ装置。
【請求項１５】
前記第２の主面は、プラスチック製の背面カバーである、請求項１に記載の電子書籍リーダ装置。
【請求項１６】
前記背面カバーの前記プラスチックは、把持性を与えるために、インモールドのマイクロ構造またはソフトな感触の被覆を有している、請求項１５に記載の電子書籍リーダ装置。
【請求項１７】
前記拡張筐体部の前記第１の主面はソフトな感触の被覆がなされているかザラ付きが施されている、請求項１に記載の電子書籍リーダ装置。
【請求項１８】
第１の曲線的角部が、前記第１のエッジを前記第３のエッジに接続し、第２の曲線的角部が、前記第１のエッジを前記第４のエッジに接続し、第３の曲線的角部が、前記第３のエッジを前記第２のエッジに接続し、第４の曲線的角部が、前記第２のエッジを前記第４のエッジに接続する、請求項１に記載の電子書籍リーダ装置。
【請求項１９】
前記第１の曲線的角部と前記第２の曲線的角部の半径は、前記第３の曲線的角部と前記第４の曲線的角部の半径より大きい、請求項１８に記載の電子書籍リーダ装置。
【請求項２０】
前記拡張筐体部は、前記ディスプレイを保護するための保護ケースのフラップ内の対応する磁石と相互作用するように構成された１つ以上の磁石をその内部に有する、請求項１に記載の電子書籍リーダ装置。
【請求項２１】
電子書籍リーダ装置であって、
筐体であって、前記筐体の外面は、第１の主面と、第２の主面と、第１のエッジと、第２のエッジと、第３のエッジと、第４のエッジとを含み、前記第１のエッジと、前記第２のエッジと、前記第３のエッジと前記第４のエッジのそれぞれは、前記第１の主面と前記第２の主面の間に位置する、筐体と、
前記筐体に囲まれたディスプレイを含み、前記電子書籍リーダ装置の前記第１の主面は、前記ディスプレイを含み、前記電子書籍リーダ装置の前記第２の主面は、前記第１の主面の反対側の面であり、
前記筐体は、前記ディスプレイの１つのエッジから所定の距離だけ離間した拡張筐体部を含み、前記拡張筐体部は、テキストおよび／または前記ディスプレイ上に表示された画像の前記動きを制御するように構成された第１のボタンと第２のボタンを含み、
電子書籍リーダ装置は、前記電子書籍リーダ装置に剛性を与えてディスプレイユニットを保護するように構成されたミッドフレームコンポーネントをさらに含み、
前記ミッドフレームコンポーネントの厚みは、前記筐体の前記第１のエッジから前記第２のエッジに向かうにつれて徐々に小さくなっている、電子書籍リーダ装置。
【請求項２２】
前記第１のボタンおよび前記第２のボタンは、前記第１の主面を超えて延在するように立設されている、請求項２１に記載の電子書籍リーダ装置。
【請求項２３】
前記第１のボタンおよび前記第２のボタンは、所定の距離だけ互いに離間している、請求項２２に記載の電子書籍リーダ装置。
【請求項２４】
前記第１のボタンと前記第２のボタンは、それぞれ、長方形を有しており、前記長方形は、前記第１のエッジに平行な長手の軸を有する、請求項２３に記載の電子書籍リーダ装置。
【請求項２５】
前記第１のボタンおよび前記第２のボタンは同じ形状を有しており、スペーサが、前記第１のボタンと前記第２のボタンの間に位置しており、前記スペーサは前記第１のボタンおよび前記第２のボタンと接触している、請求項２４に記載の電子書籍リーダ装置。
【請求項２６】
前記スペーサは、前記第１のボタンおよび前記第２のボタンと同じ形状および寸法であるが、前記スペーサの外面は、前記第１の主面の外面と面一である、請求項２５に記載の電子書籍リーダ装置。
【請求項２７】
検出された前記電子書籍リーダ装置の物理的な向きに基づいて、前記第１のボタンは、ユーザが一度押すと１ページに表示されているドキュメントまたは画像が進むように構成されるとともに、前記第２のボタンは、ユーザが一度押すと、表示されている前記ドキュメントまたは画像が１ページ戻るように構成され、あるいは、前記第１のボタンは、ユーザが一度押すと、表示されていた前記ドキュメントまたは画像を１ページ戻るように構成されるとともに、前記第２のボタンはユーザが一度押すと１ページに表示されていた前記ドキュメントまたは画像が進むように構成された、請求項２１に記載の電子書籍リーダ装置。
【請求項２８】
前記第１のボタンまたは前記第２のボタンは、前記第１のボタンまたは前記第２のボタンが長押しされると、複数のページを進む、または戻るように構成されており、前記第１のボタンまたは前記第２のボタンの長押し時間が長ければ長いほど、ページの移動は速くなる、請求項２７に記載の電子書籍リーダ装置。
【請求項２９】
前記第１のボタンまたは前記第２のボタンが長押しされると、進んだ、または戻った多くのページを保存するように構成されたメモリ装置をさらに含む、請求項２８に記載の電子書籍リーダ装置。
【請求項３０】
前記第１のボタンおよび前記第２のボタンは、複数の電子書籍に関する情報を表示するメニューの中で上下方向のスクロールを制御するように構成される、請求項２１に記載の電子書籍リーダ装置。
【請求項３１】
前記第１のボタンおよび前記第２のボタンは、表示されたウェブページまたはメニューの中で上下方向の呼び出しを制御するように構成される、請求項２１に記載の電子書籍リーダ装置。
【請求項３２】
ポータブル・ドキュメント・フォーマット（ＰＤＦ）ファイルが前記ディスプレイに表示されているとき、また、前記ディスプレイが前記ＰＤＦファイルの前記ページ全体を表示していないとき、前記第１のボタンおよび前記第２のボタンは、押下されると、前記ＰＤＦファイルのページのどの部分を閲覧するかを制御するように構成された、請求項２１に記載の電子書籍リーダ装置。
【国際調査報告】
2021527280.tif 000030
2021527280.tif 000031
2021527280.tif 000032
2021527280.tif 000033
2021527280.tif 000034